(57)【特許請求の範囲】
【請求項１】
ベランダ内設置用布団干し器は布団干し枠（１）と干し枠支持器（２）とを具え、干し枠支持器（２）は建物のベランダ（３）の手摺り壁（４）への固定装置（５）と、布団干し枠（１）への支持装置（６）とを具え、
干し枠支持器（２）は、その固定装置（５）をベランダ（３）の手摺り壁（４）に固定するとともに、その支持装置（６）でベランダ（３）内の布団干し枠（１）の後側枠部分（７）を支持することにより、布団干し枠（１）の転倒を防止するように構成し、
この転倒防止状態に保持された布団干し枠（１）の上辺の布団受け枠（８）に布団（Ａ）を二つ折り状に吊持して干すように構成した、
ベランダ内設置用布団干し器において、
前記布団干し枠（１）の下部において、その前部に前側接地部（１０）を設け、その後部に後側接地部（１１）を設け、布団干し枠（１）の後側枠部分（７）は干し枠支持器（２）の支持装置（６）に昇降調節可能に支持させ、
ベランダ（３）の手摺り壁（４）に対して干し枠支持器（２）を介して、布団干し枠（１）の後側枠部分（７）を昇降調節可能に支持させた布団干し枠（１）の転倒防止状態において、布団干し枠（１）の前側接地部（１０）と後側接地部（１１）とをベランダ（３）の床壁（１２）上に接地させ、
て構成したことを特徴とするベランダ内設置用布団干し器。
【請求項２】
請求項１に記載のベランダ内設置用布団干し器において、
前記布団干し枠（１）の布団受け枠（８）に布団受け補助棒（９）を進退可能に付設し、この布団受け補助棒（９）を進出させた状態では、布団受け補助棒（９）が布団受け枠（８）よりも前方へ進出する寸法が大きくなるのに対し、布団受け補助棒（９）を後退させた状態では、布団受け補助棒（９）が布団受け枠（８）よりも前方へ進出する寸法が小さくなるように構成した、
ことを特徴とするもの。
【請求項３】
請求項１または２に記載のベランダ内設置用布団干し器において、
前記布団干し枠（１）は、下辺の脚枠部分（１３）・上辺の布団受け枠（８）・後辺の後側支柱部分（１４）・および前辺の前側支柱部分（１５）の４つの枠構成部品を、矩形状に組み立てたものから成り、
この脚枠部分（１３）の前部に前記前側接地部（１０）が、その後部に後側接地部（１１）が設けられ、この脚枠部分（１３）の前後各端部から上向きに各連結用端部（１６）を連出させ、前記布団受け枠（８）の前後各端部から下向きに連結用端部（１７）を連出させ、
この布団受け（８）と脚枠部分（１３）とは合同形に形成し、前記後側支柱部分（１４）と前側支柱部分（１５）とは合同形に形成し、
て構成したことを特徴とするもの。
【請求項４】
請求項１・２または３に記載のベランダ内設置用布団干し器において、
前記干し枠支持器（２）に竿受け支持装置（１８）を付設し、この竿受け支持装置（１８）に物干し竿受け腕（１９）の腕後部（２０）を支持させて、この物干し竿受け腕（１９）を布団干し枠（１）の布団受け枠（８）よりも上方の空間に位置させ、
て構成したことを特徴とするもの。
【発明の詳細な説明】
【０００１】
【発明の属する技術分野】
本発明は、建物のベランダ内に設置して用いる布団干し器に関する。
【０００２】
【前提構成】
本発明のベランダ内設置用布団干し器は、例えば図１・図５（本発明）、または図１０（従来技術）に示すように、次の前提構成を有するものを対象とする。
【０００３】
図１・図５は本発明のベランダ内設置用布団干し器の実施形態１を示す。図１（Ａ）−（Ｄ）は布団干し器の全体を示す。図１（Ａ）は斜視図、図１（Ｂ）は正面図、図１（Ｃ）は左側面図、図１（Ｄ）は平面図である。
図５（Ａ）−（Ｃ）は布団干し器をベランダに設置した状態を示す。図５（Ａ）は使用状態の斜視図、図５（Ｂ）は使用状態の左側面図。図５（Ｃ）は布団干し枠と物干し竿受け腕とを左横向きにした不使用状態の斜視図である。
【０００４】
図１０（Ａ）−（Ｄ）はベランダ内設置用布団干し器の従来技術１を示す。図１０（Ａ）は布団干し器をベランダに設置した使用状態を示す正面図。図１０（Ｂ）−（Ｄ）は布団干し枠を示し、図１０（Ｂ）は正面図、図１０（Ｃ）は平面図、図１０（Ｄ）は右側面図である。
【０００５】
ベランダ内設置用布団干し器は布団干し枠（１）と干し枠支持器（２）とを具える。干し枠支持器（２）は建物のベランダ（３）の手摺り壁（４）への固定装置（５）と、布団干し枠（１）への支持装置（６）とを具える。
干し枠支持器（２）は、その固定装置（５）をベランダ（３）の手摺り壁（４）に固定するとともに、その支持装置（６）でベランダ（３）内の布団干し枠（１）の後側枠部分（７）を支持する事により、布団干し枠（１）の転倒を防止するように構成する。この転倒防止状態に保持された布団干し枠（１）の上辺の布団受け枠（８）に布団（Ａ）を二つ折り状に吊持して干すように構成したものである。
【０００６】
【従来の技術】
上記前提構成において、布団干し枠（１）を具体化するための構成として、従来技術では次のものがある。
○  従来技術１．  図１０参照．
図１０（Ａ）−（Ｄ）はベランダ内設置用布団干し器の従来技術１を示す。図１０（Ａ）は布団干し器をベランダに設置した使用状態を示す正面図。図１０（Ｂ）−（Ｄ）は布団干し枠を示し、図１０（Ｂ）は正面図、図１０（Ｃ）は平面図、図１０（Ｄ）は右側面図である。
【０００７】
前記布団干し枠（１）は左側面視で「ワ」字形に折り曲げ形成され、このワ字形の上端部（８１）と下端部（８２）が、前記干し枠支持器（２）の支持装置（６）を構成する背面支持枠（８３）の上下の横桟（８４）に水平揺動可能に枢支されている。この背面支持枠（８３）がベランダ（３）のフェンス製手摺り壁（４）の縦桟（８５）に、固定装置（５）を介して固定支持される。
【０００８】
【発明が解決しようとする課題】
上記従来技術１では、次の問題がある。
［  イ．  隣り合って干されている布団（Ａ）同士は、強い風に打ち勝って常に互いに離れあった状態に保持することができず、日光や空気に絶えず広い面で晒された良好な布団干し状態に保ち続けて、短時間のうちに良好に乾燥することができない。  ］
【０００９】
布団干し枠（１）とこれに吊持された布団（Ａ）との大きな荷重は、布団干し枠（１）のワ字形の上端部（８１）と下端部（８２）との枢支部分に受け止められ、ベランダ床壁（１３）に対して全く摩擦固定されない。
このため、この布団干し枠（１）に吊持された布団（Ａ）に強い風が吹き付けて来たときに、布団干し枠（１）が容易に揺動させられて、並設された複数の布団干し枠（１）…にそれぞれ吊持された布団（Ａ）…が隣同士で密着して乾燥されにくくなる。
【００１０】
これにより、隣り合って干されている布団（Ａ）同士は、強い風に打ち勝って常に互いに離れあった状態に保持することができず、日光や空気に絶えず広い面で晒された良好な布団干し状態に保ち続けて、短時間のうちに良好に乾燥することができない。
【００１１】
［  ロ．  布団干し枠（１）および布団（Ａ）の大きな荷重は、片持ち支持されている布団干し枠（１）・干し枠支持器（２）・およびベランダ手摺り壁（４）に大きな曲げモーメントとして作用する分だけ、布団干し枠（１）・干し枠支持器（２）・およびベランダ手摺り壁（４）の耐久性を高めることができない。  ］
【００１２】
布団干し枠（１）とこれに吊持された布団（Ａ）との大きな荷重は、布団干し枠（１）のワ字形の上端部（８１）と下端部（８２）との枢支部分に受け止められ、片持ち支持されている布団干し枠（１）・干し枠支持器（２）・およびベランダ手摺り壁（４）に大きな曲げモーメントとして作用する分だけ、布団干し枠（１）・干し枠支持器（２）・およびベランダ手摺り壁（４）は曲げ変形され易くて、その耐久性を高めることができない。
【００１３】
［  ハ．  布団（Ａ）の代わりに、バスタオルなどの幅狭の干し物を干す場合でも、布団干し枠（１）は前方に大きく出張ったままとなるため、奥行きの狭いベランダ（３）内において、布団干し器の前側の通行スペースを広くすることができず、ここでの通行をやり易くすることができない。  ］
【００１４】
布団（Ａ）の代わりに、バスタオル・フィスタオル・またはハンガーに掛けた衣服など、その横幅が布団（Ａ）よりも狭い幅狭の干し物を干す場合でも、布団干し枠（１）は前方に大きく出張ったままとなる。このため、奥行きの狭いベランダ（３）内において、布団干し器の前側の通行スペースを広くすることができず、ここでの通行をやり易くすることができない。
【００１５】
本発明の課題は、次のようにすることにある。
（イ）．隣り合って干されている布団同士は、強い風に打ち勝って常に互いに離れあった状態に保持することにより、日光や空気に絶えず広い面で晒された良好な布団干し状態に保ち続け、短時間のうちに良好に乾燥することができる。
（ロ）．布団干し枠および布団の大きな荷重は、両持ち支持して布団干し枠およびベランダ手摺り壁に曲げモーメントとして作用させないことにより、布団干し枠およびベランダ手摺り壁の耐久性を高める。
【００１６】
（ハ）．布団受け補助棒を後退させた寸法だけ、布団の横幅寸法よりも布団干し枠の前後長さを短縮できるようにすることにより、奥行きの狭いベランダ内においても、布団干し器の前側の通行スペースを広くして、ここでの通行をやり易くする。
（ニ）．布団干し枠の４つの枠構成部品のうち、布団受け枠と脚枠部分とは合同形に形成して共通部品化し、および後側支柱部分と前側支柱部分とは合同形に形成して共通部品化しすることにより、この布団干し枠の４つの枠構成部品の製造コストを引き下げて安価にする。
【００１７】
（ホ）．物干し竿受け腕用のベランダ手摺り壁への固定装置は、布団干し枠用の固定装置で兼用させて、専用の固定装置を省略することにより、その固定装置の製造コストを引き下げて安価にできるうえ、ベランダ手摺り壁への固定装置の取付手間が２回要るところを１回に減らす。
【００１８】
【課題を解決するための手段】
本発明のベランダ内設置用布団干し器は、上記前提構成において、上記課題を解決するために、例えば図１−図９に示すように、布団干し枠（１）を具体化するための構成として、次の特徴構成を追加したことを特徴とする。
【００１９】
図１−図５は本発明のベランダ内設置用布団干し器の実施形態１を示す。図１（Ａ）−（Ｄ）は布団干し器の全体を示す。図１（Ａ）は斜視図、図１（Ｂ）は正面図、図１（Ｃ）は左側面図、図１（Ｄ）は平面図である。
図２（Ａ）−（Ｇ）は図１（Ａ）で指示する布団干し器の各部分を示す。図２（Ａ）は図１（Ａ）のＡ部の要部縦断左側面図、図２（Ｂ）は図１（Ａ）のＢ−Ｂ線断面図。図２（Ｃ）は図１（Ａ）のＣ部の正面図、図２（Ｄ）は図２（Ｃ）の平面図。図２（Ｅ）は図１（Ａ）のＥ部の平面図、図２（Ｆ）は図２（Ｅ）の中央縦断右側面図。図２（Ｇ）は図１（Ａ）のＧ部の要部縦断正面図である。
【００２０】
図３（Ａ）−（Ｃ）は干し枠支持器の固定装置を示し、図３（Ａ）は縦断左側面図、図３（Ｂ）は平面図、図３（Ｃ）は要部縦断正面図である。
図４（Ａ）−（Ｃ）は布団干し器全体の斜視図を示す。図４（Ａ）は物干し竿受け腕を左横向きにし、布団受け補助棒を収縮させた状態の斜視図。図４（Ｂ）は布団干し枠を左横向きにした状態の斜視図。図４（Ｃ）は折り畳んだ状態の斜視図である。
【００２１】
図５（Ａ）−（Ｃ）は布団干し器をベランダに設置した状態を示す。図５（Ａ）は使用状態の斜視図、図５（Ｂ）は使用状態の左側面図。図５（Ｃ）は布団干し枠と物干し竿受け腕とを左横向きにした不使用状態の斜視図である。
【００２２】
図６（Ａ）−（Ｄ）は本発明の実施形態２のベランダ内設置用布団干し器の全体を示す。図６（Ａ）は斜視図、図６（Ｂ）は正面図、図６（Ｃ）は左側面図、図６（Ｄ）は平面図である。
【００２３】
図７−図８は本発明の実施形態３のベランダ内設置用布団干し器の全体を示す。図７（Ａ）は斜視図、図７（Ｂ）は正面図、図７（Ｃ）は左側面図、図７（Ｄ）は平面図である。
図８（Ａ）は布団受け補助棒と物干し竿受け輪とを取り付け換えた状態の斜視図。図８（Ｂ）は布団干し器をベランダに設置した使用状態の斜視図である。
【００２４】
図９（Ａ）−（Ｄ）は本発明の実施形態４の干し枠支持器の固定装置を示す。図９（Ａ）は固定装置をベランダのフェンス製手摺り壁に固定した使用状態の左側面図、図９（Ｂ）は図９（Ａ）のＢ−Ｂ線断面図、図９（Ｃ）は図９（Ｂ）のＣ−Ｃ線断面図、図９（Ｄ）は図９（Ｂ）のＤ矢視図である。
【００２５】
○  発明１．  請求項１．  図１−図５、図６、図７・図８、または図９参照．
前記布団干し枠（１）の下部において、その前部に前側接地部（１０）を設け、その後部に後側接地部（１１）を設ける。布団干し枠（１）の後側枠部分（７）は干し枠支持器（２）の支持装置（６）に昇降調節可能に支持させる。
【００２６】
ベランダ（３）の手摺り壁（４）に対して干し枠支持器（２）を介して、布団干し枠（１）の後側枠部分（７）を昇降調節可能に支持させた布団干し枠（１）の転倒防止状態において、布団干し枠（１）の前側接地部（１０）と後側接地部（１１）とをベランダ（３）の床壁（１２）上に接地させて構成したことを特徴とする。
【００２７】
○  発明２．  請求項２．  図１−図５、図６、または図７・図８参照．
この発明２は、上記発明１において、次の特徴構成を追加したことを特徴とする。
前記布団干し枠（１）の布団受け枠（８）に布団受け補助棒（９）を進退可能に付設する。この布団受け補助棒（９）を進出させた状態では、布団受け補助棒（９）が布団受け枠（８）よりも前方へ進出する寸法が大きくなるのに対し、布団受け補助棒（９）を後退させた状態では、布団受け補助棒（９）が布団受け枠（８）よりも前方へ進出する寸法が小さくなるように構成したことを特徴とする。
【００２８】
なお、布団受け枠（８）に対して布団受け補助棒（９）を進退させるための構成としては、例えば、布団受け補助棒（９）を前後に摺動させるものと、前後に揺動させるものとが考えられる。
【００２９】
○  発明３．  請求項３．  図１−図５、図６、または図７・図８参照．
この発明３は、上記発明１または２において、次の特徴構成を追加したことを特徴とする。
前記布団干し枠（１）は、下辺の脚枠部分（１３）・上辺の布団受け枠（８）・後辺の後側支柱部分（１４）・および前辺の前側支柱部分（１５）の４つの枠構成部品を、矩形状に組み立てたものから成る。
【００３０】
この脚枠部分（１３）の前部に前記前側接地部（１０）が、その後部に後側接地部（１１）が設けられる。この脚枠部分（１３）の前後各端部から上向きに各連結用端部（１６）を連出させ、前記布団受け枠（８）の前後各端部から下向きに連結用端部（１７）を連出させる。
この布団受け（８）と脚枠部分（１３）とは合同形に形成し、前記後側支柱部分（１４）と前側支柱部分（１５）とは合同形に形成して構成したことを特徴とする。
【００３１】
○  発明４．  請求項４．  図１−図５参照．
この発明４は、上記発明１・２または３において、次の特徴構成を追加したことを特徴とする。
前記干し枠支持器（２）に竿受け支持装置（１８）を付設する。この竿受け支持装置（１８）に物干し竿受け腕（１９）の腕後部（２０）を支持させて、この物干し竿受け腕（１９）を布団干し枠（１）の布団受け枠（８）よりも上方の空間に位置させて構成したことを特徴とする。
【００３２】
【発明の効果】
本発明のベランダ内設置用布団干し器は、つぎの効果を奏する。
○  発明１．  請求項１．  図１−図５、図６、図７・図８、または図９参照．
【００３３】
［  イ．  隣り合って干されている布団（Ａ）同士は、強い風に打ち勝って常に互いに離れあった状態に保持して、日光や空気に絶えず広い面で晒された良好な布団干し状態に保ち続け、短時間のうちに良好に乾燥することができる。  ］
【００３４】
前記布団干し枠（１）の下部において、その前部に前側接地部（１０）を設け、その後部に後側接地部（１１）を設ける。布団干し枠（１）の後側枠部分（７）は干し枠支持器（２）の支持装置（６）に昇降可能に支持させる。
ベランダ（３）の手摺り壁（４）に対して干し枠支持器（２）を介して、布団干し枠（１）の後側枠部分（７）を昇降可能に支持させた布団干し枠（１）の転倒防止状態において、布団干し枠（１）の前側接地部（１０）と後側接地部（１１）とをベランダ（３）の床壁（１２）上に接地させる。
【００３５】
この構成から、布団干し枠（１）とこれに吊持された布団（Ａ）との大きな荷重は、布団干し枠（１）の前側接地部（１０）と後側接地部（１１）との前後２カ所から、ベランダ（３）の床壁（１３）に受け止められる。
このように布団干し枠（１）はベランダ床壁（１３）に対して、その前後に大きく離れ合う２カ所で布団（Ａ）の大きな荷重により摩擦固定されるため、この布団干し枠（１）に吊持された布団（Ａ）に強い風が吹き付けて来たときでも、布団干し枠（１）が吹き動かされることが無くなり、並設された複数の布団干し枠（１）…にそれぞれ吊持された布団（Ａ）…が隣同士で密着して乾燥されにくくなることが防止される。
【００３６】
これにより、隣り合って干されている布団（Ａ）同士は、強い風に打ち勝って常に互いに離れあった状態に保持して、日光や空気に絶えず広い面で晒された良好な布団干し状態に保ち続け、短時間のうちに良好に乾燥することができる。
【００３７】
［  ロ．  布団干し枠（１）および布団（Ａ）の大きな荷重は、両持ち支持されて布団干し枠（１）およびベランダ手摺り壁（４）に曲げモーメントとして作用しなくなつた分だけ、布団干し枠（１）およびベランダ手摺り壁（４）の耐久性を高めることができる。  ］
【００３８】
布団干し枠（１）とこれに吊持された布団（Ａ）との大きな荷重は、布団干し枠（１）の前側接地部（１０）と後側接地部（１１）との前後２カ所から、ベランダ（３）の床壁（１３）に受け止められる。
このため、布団干し枠（１）および布団（Ａ）の大きな荷重は、その重心が前側接地部（１０）と後側接地部（１１）との間に位置して、いわゆる両持ち支持されているので、布団干し枠（１）およびベランダ手摺り壁（４）に曲げモーメントとして作用しなくなった分だけ、布団干し枠（１）およびベランダ手摺り壁（４）が曲げ変形されなくなって、その耐久性を高めることができる。
【００３９】
○  発明２．  請求項２．  図１−図５、図６、または図７・図８参照．
この発明２は、上記発明１の効果［イ］・［ロ］に加えて、つぎの効果を奏する。
［  ハ．  布団受け補助棒（９）を後退させた寸法だけ、布団（Ａ）の横幅寸法よりも布団干し枠（１）の前後長さを短縮することにより、奥行きの狭いベランダ（３）内においても、布団干し器の前側の通行スペースを広くして、ここでの通行をやり易くすることができる。  ］
【００４０】
前記布団干し枠（１）の布団受け枠（８）に布団受け補助棒（９）を進退可能に付設する。この布団受け補助棒（９）を進出させた状態では、布団受け補助棒（９）が布団受け枠（８）よりも前方へ進出する寸法が大きくなるのに対し、布団受け補助棒（９）を後退させた状態では、布団受け補助棒（９）が布団受け枠（８）よりも前方へ進出する寸法が小さくなるように構成した。
【００４１】
この構成から、布団（Ａ）を干す場合には、布団受け枠（８）に対して布団受け補助棒（９）を前側に進出させた状態にして、布団受け枠（８）と布団受け補助棒（９）とに亘って布団（Ａ）を吊持させる。これにより、布団干し枠（１）の全長は、布団受け補助棒（９）が前側へ進出する寸法だけ、布団（Ａ）の横幅の寸法よりも短くすることができる。
また、布団（Ａ）の代わりに、バスタオル・フィスタオル・またはハンガーに掛けた衣服など、その横幅が布団（Ａ）よりも狭い幅狭の干し物を干す場合には、布団受け枠（８）に対して布団受け補助棒（９）を後退させた状態にして、その幅狭の干し物を布団受け枠（８）に吊り掛けて干す。
【００４２】
このため、布団受け補助棒（９）を後退させた寸法だけ、布団（Ａ）の横幅寸法よりも布団干し枠（１）の前後長さを短縮することにより、奥行きの狭いベランダ（３）内においても、布団干し器の前側の通行スペースを広くして、ここでの通行をやり易くすることができる。
【００４３】
○  発明３．  請求項３．  図１−図５、図６、または図７・図８参照．
この発明３は、上記発明１の効果［イ］・［ロ］に加えて、つぎの効果を奏する。
［  ニ．  布団受け枠（８）と脚枠部分（１３）とは合同形に形成して共通部品化した分、および後側支柱部分（１４）と前側支柱部分（１５）とは合同形に形成して共通部品化した分だけ、この布団干し枠（１）の４つの枠構成部品の製造コストを引き下げて安価にすることができる。  ］
【００４４】
前記布団干し枠（１）は、下辺の脚枠部分（１３）・上辺の布団受け枠（８）・後辺の後側支柱部分（１４）・および前辺の前側支柱部分（１５）の４つの枠構成部品を、矩形状に組み立てたものから成る。
この脚枠部分（１３）の前部に前記前側設置部（１０）が、その後部に後側設置部（１１）が設けられる。この脚枠部分（１３）の前後各端部から上向きに各連結用端部（１６）を連出させる。前記布団受け枠（８）の前後各端部から下向きに連結用端部（１７）を連出させる。
【００４５】
この布団受け（８）と脚枠部分（１３）とは合同形に形成する。前記後側支柱部分（１４）と前側支柱部分（１５）とは合同形に形成する。
この構成から、前記布団干し枠（１）は脚枠部分（１３）・布団受け枠（８）・後側支柱部分（１４）・前側支柱部分（１５）の４つの枠構成部品を矩形状に組み立てて製造するにあたり、布団受け枠（８）と脚枠部分（１３）とは合同形に形成して共通部品化した分、および後側支柱部分（１４）と前側支柱部分（１５）とは合同形に形成して共通部品化した分だけ、この布団干し枠（１）の４つの枠構成部品の製造コストを引き下げて安価にすることができる。
【００４６】
○  発明４．  請求項４．  図１−図５参照．
この発明４は、上記発明１の効果［イ］・［ロ］に加えて、つぎの効果を奏する。
［  ホ．  物干し竿受け腕（１９）用のベランダ手摺り壁（４）への固定装置は、布団干し枠（１）用の固定装置（５）で兼用させて、専用の固定装置を省略できる分だけ、その製造コストを引き下げて安価にすることができるうえ、ベランダ手摺り壁（４）への固定装置（５）の取付手間が２回要るところを１回に減らすことができる。  ］
【００４７】
前記干し枠支持器（２）に竿受け支持装置（１８）を付設する。この竿受け支持装置（１８）に物干し竿受け腕（１９）の腕後部（２０）を支持させる。この物干し竿受け腕（１９）を布団干し枠（１）の布団受け枠（８）よりも上方の空間に位置させる。
【００４８】
この構成から、物干し竿受け腕（１９）用のベランダ手摺り壁（４）への固定装置は、布団干し枠（１）用の固定装置（５）で兼用させて、専用の固定装置を省略できる分だけ、その製造コストを引き下げて安価にすることができる。
そのうえ、布団干し枠（１）用の固定装置（５）をベランダ手摺り壁（４）に固定するだけで、物干し竿受け腕（１９）用の固定装置を固定したことにもなるので、ベランダ手摺り壁（４）への固定装置（５）の取付手間が２回要るところを１回に減らすことができるのである。
【００４９】
【発明の実施の形態】
以下、本発明のベランダ内設置用布団干し器の実施の形態を、図面に基づき説明する。
○  実施形態１．  請求項１・２・３・４．  図１−図５参照．
【００５０】
図１−図５は本発明のベランダ内設置用布団干し器の実施形態１を示す。図１（Ａ）−（Ｄ）は布団干し器の全体を示す。図１（Ａ）は斜視図、図１（Ｂ）は正面図、図１（Ｃ）は左側面図、図１（Ｄ）は平面図である。
図２（Ａ）−（Ｇ）は図１（Ａ）で指示する布団干し器の各部分を示す。図２（Ａ）は図１（Ａ）のＡ部の要部縦断左側面図、図２（Ｂ）は図１（Ａ）のＢ−Ｂ線断面図。図２（Ｃ）は図１（Ａ）のＣ部の正面図、図２（Ｄ）は図２（Ｃ）の平面図。図２（Ｅ）は図１（Ａ）のＥ部の平面図、図２（Ｆ）は図２（Ｅ）の中央縦断右側面図。図２（Ｇ）は図１（Ａ）のＧ部の要部縦断正面図である。
【００５１】
図３（Ａ）−（Ｃ）は干し枠支持器の固定装置を示し、図３（Ａ）は縦断左側面図、図３（Ｂ）は平面図、図３（Ｃ）は要部縦断正面図である。
図４（Ａ）−（Ｃ）は布団干し器全体の斜視図を示す。図４（Ａ）は物干し竿受け腕を左横向きにし、布団受け補助棒を収縮させた状態の斜視図。図４（Ｂ）は布団干し枠を左横向きにした状態の斜視図。図４（Ｃ）は折り畳んだ状態の斜視図である。
図５（Ａ）−（Ｃ）は布団干し器をベランダに設置した状態を示す。図５（Ａ）は使用状態の斜視図、図５（Ｂ）は使用状態の左側面図。図５（Ｃ）は布団干し枠と物干し竿受け腕とを左横向きにした不使用状態の斜視図である。
【００５２】
図１・図５に示すように、ベランダ内設置用布団干し器は、ステンレス鋼管製の左右一対の布団干し枠（１）と、ステンレス鋼管製の１つの干し枠支持器（２）とを具える。干し枠支持器（２）は建物のベランダ（３）の手摺り壁（４）への固定装置（５）と、布団干し枠（１）への支持装置（６）とを具える。
【００５３】
干し枠支持器（２）は、その固定装置（５）をベランダ（３）のコンクリート壁製の手摺り壁（４）に固定するとともに、その支持装置（６）でベランダ（３）内の布団干し枠（１）の後側枠部分（７）を支持することにより、布団干し枠（１）の転倒を防止するように構成する。この転倒防止状態に保持された布団干し枠（１）の上辺の布団受け枠（８）に布団（Ａ）を二つ折り状に吊持して干すように構成する。
【００５４】
前記２つの各布団干し枠（１）は、下辺の脚枠部分（１３）・上辺の布団受け枠（８）・後辺の後側支柱部分（１４）・および前辺の前側支柱部分（１５）の４つの枠構成部品を、矩形状に組み立てたものから成る。
この脚枠部分（１３）の前部に前側接地部（１０）が、その後部に後側接地部（１１）が設けられる。この脚枠部分（１３）の前後各端部から上向きに連結用端部（１６）を連出させる。前記布団受け枠（８）の前後各端部から下向きに連結用端部（１７）を連出させる。この布団受け（８）と脚枠部分（１３）とは合同形に形成し、前記後側支柱部分（１４）と前側支柱部分（１５）とは合同形に形成する。
なお、図１（Ｃ）に示すように、脚枠部分（１３）の長さ方向の中間部分は、実線で示す直線状に形成してあるが、この直線状にする代わりに、破線で示す中高状に形成することも考えられる。
【００５５】
後側支柱部分（１４）・前側支柱部分（１５）の上下の各支柱端部（２１）に対して、脚枠部分（１３）・布団受け枠（８）の前後の各連結用端部（１６）（１７）は、図２（Ａ）に示す構造により、回転自在で伸縮不能に連結固定されている。
すなわち、各支柱端部（２１）に凸鍔（２２）・凹鍔（２３）・心決め周面（２４）が形成される。各連結用端部（１６）（１７）に先端面（２５）・内向き係合突起（２６）・心決め凹鍔（２７）が形成される。各支柱端部（２１）の凸鍔（２２）に各連結用端部（１６）（１７）の先端面（２５）が受け止められる。凹鍔（２３）に内向き係合突起（２６）が回転移動のみ自在に嵌入係合する。心決め周面（２４）に心決め凹鍔（２７）が接当する。
【００５６】
左右一対の布団干し枠（１）（１）の後側支柱部分（１４）（１４）同士は、その上部と下部とで各連結パイプ（４３）（４３）で連結固定される。この連結固定構造は図２（Ｂ）に示す。すなわち、連結パイプ（４３）の両端の絞り部（４４）と、これに挿嵌固定したリベット（４５）の頭部とで、各後側支柱部分（１４）の管肉壁（４６）を挟持固定したものである。
【００５７】
図１・図５に示すように、左側の布団干し枠（１）の後側支柱部分（１４）の上部から成る後側枠部分（７）は、干し枠支持器（２）の支持装置（６）に昇降調節可能に支持させる。ベランダ（３）の手摺り壁（４）に対して干し枠支持器（２）を介して、布団干し枠（１）の後側枠部分（７）を昇降調節可能に支持させた布団干し枠（１）の転倒防止状態において、布団干し枠（１）の前側接地部（１０）と後側接地部（１１）とをベランダ（３）の床壁（１２）上に接地させる。
【００５８】
干し枠支持器（２）のベランダ（３）の手摺り壁（４）への固定装置（５）は、図３に示すように構成されている。この干し枠支持器（２）は、前後一対の固定棒（２８）（２９）・着座具（３０）（３１）・接当具（３２）（３３）、圧縮ボルト（３４）、および引張りボルト（３５）から成る。
【００５９】
まず、引張りボルト（３５）の蝶ナット（３６）を進退調節することにより、両固定棒（２８）（２９）同士間の間隔を調節して、着座具（３０）（３１）をベランダ（３）の手摺り壁（４）の上端部に挟み込むようにして着座させる。つぎに、圧縮ボルト（３４）の蝶ナット（３７）を進退調節して、両固定棒（２８）（２９）の下部に固定の接当具（３２）（３３）を手摺り壁（４）に挟圧させる。これにより、両固定棒（２８）（２９）が手摺り壁（４）に固定される。
【００６０】
干し枠支持器（２）の布団干し枠（１）への支持装置（６）は、図２（Ｃ）・（Ｄ）に示すように構成されている。すなわち、板金製の前後一対の挟持固定具（３８）（３８）を上下２組のボルト（３９）・ナット（４０）で接近させ合うことにより、干し枠支持器（２）の固定装置（５）の前側の固定棒（２８）と、左側の布団干し枠（１）の後側支柱部分（１４）の上部の後側枠部分（７）とを、両挟持固定具（３８）（３８）で挟持連結固定するように構成されている。
【００６１】
図１および図２（Ｅ）・（Ｆ）に示すように、前記布団干し枠（１）の布団受け枠（８）に布団受け補助棒（９）を進退可能に付設する。この布団受け補助棒（９）を進出させた状態では、布団受け補助棒（９）が布団受け枠（８）よりも前方へ進出する寸法が大きくなるのに対し、布団受け補助棒（９）を後退させた状態では、布団受け補助棒（９）が布団受け枠（８）よりも前方へ進出する寸法が小さくなるように構成する。
【００６２】
布団受け補助棒（９）の中間部と後部にそれぞれ、板金製の嵌合帯（４１）がボルト・ナツト（４２）で固定されている。この嵌合帯（４１）が布団干し枠（１）の布団受け枠（８）に摺動自在に外嵌している。
【００６３】
図１・図２（Ｇ）・図３に示すように、前記干し枠支持器（２）に竿受け支持装置（１８）を付設する。この竿受け支持装置（１８）に物干し竿受け腕（１９）の腕後部（２０）を支持させる。この物干し竿受け腕（１９）を布団干し枠（１）の布団受け枠（８）よりも上方の空間に位置させる。
前記竿受け支持装置（１８）は、縦向きの支持パイプ（４７）の上部と下部とを、ボルト（６３）とナット（６４）とを介して、干し枠支持器（２）の固定装置（５）の前側の固定棒（２８）の上部の左横に位置させて固定して成る。
【００６４】
物干し竿受け腕（１９）の腕後部（２０）は、下向きに折り曲げ形成されて、支持パイプ（４７）に上から挿入される。この腕後部（２０）に固定の位置決めピン（４８）が、支持パイプ（４７）の下半部に形成されたワ字形の位置決め溝（４９）に、横移動可能に嵌入係合される。
図１・図５（Ａ）（Ｂ）に示すように、物干し竿受け腕（１９）が前向きの使用姿勢にされた状態においては、位置決めピン（４８）が位置決め溝（４９）のワ形の右端の縦溝部分（５０）に落ち込んで係止されることにより、物干し竿受け腕（１９）を前向きの使用姿勢に固定する。
【００６５】
図４（Ａ）・図５（Ｃ）に示すように、物干し竿受け腕（１９）が左横向きの不使用折り畳み姿勢にされた状態においては、図２（Ｇ）に示す位置決めピン（４８）が位置決め溝（４９）のワ形の左端の縦溝部分（５１）に落ち込んで係止されることにより、物干し竿受け腕（１９）を左向きの折り畳み姿勢に固定する。
図５（Ａ）に示すように、物干し竿受け腕（１９）の前後２カ所に半円形の竿止め（５２）が固定されている。物干し竿（５３）の一端部が竿留め（５２）内に差し込まれて、物干し竿受け腕（１９）に支持される。
【００６６】
○  実施形態２．  請求項１・２・３．  図６参照．
この実施形態２は、上記実施形態１の構成において、その一部を次のように変更したものである。
図６（Ａ）−（Ｄ）は本発明の実施形態２のベランダ内設置用布団干し器の全体を示す。図６（Ａ）は斜視図、図６（Ｂ）は正面図、図６（Ｃ）は左側面図、図６（Ｄ）は平面図である。
この実施形態２は、上記実施形態１（図１−図５）の構成において、この実施形態１中の竿受け支持装置（１８）および物干し竿受け腕（１９）を省略したものである。
【００６７】
○  実施形態３．  請求項１・２・３．  図７・図８参照．
図７−図８は本発明の実施形態３のベランダ内設置用布団干し器の全体を示す。図７（Ａ）は斜視図、図７（Ｂ）は正面図、図７（Ｃ）は左側面図、図７（Ｄ）は平面図である。
図８（Ａ）は布団受け補助棒と物干し竿受け輪とを取り付け換えた状態の斜視図。図８（Ｂ）は布団干し器をベランダに設置した使用状態の斜視図である。
【００６８】
この実施形態３は、上記実施形態１（図１−図５）の構成において、この実施形態１中の竿受け支持装置（１８）および物干し竿受け腕（１９）を省略する代わりに、つぎの構成を追加したものである。
布団干し枠（１）をもう１つ追加して、合計３つにする。この追加した右端の布団干し枠（１Ａ）の上辺の布団受け枠（８）の前後２箇所に、アイボルト製の竿受け具（５４）をネジ嵌合により固定する。この竿受け具（５４）に物干し竿（５３）の一端部が差し込まれて支持される。
【００６９】
この竿受け具（５４）は、図７（Ａ）の右端の布団干し枠（１Ａ）に取り付けられた状態から、図８（Ａ）の左端の布団干し枠（１Ｂ）に取り付け換えることが自由にできる。このとき同時に、布団受け補助棒（９）は、図７（Ａ）の左端の布団干し枠（１Ｂ）に取り付けられた状態から、図８（Ａ）の右端の布団干し枠（１Ａ）に取り付け換えることも自由にできる。
【００７０】
○  実施形態４．  請求項１．  図９参照．
図９（Ａ）−（Ｄ）は本発明の実施形態４の干し枠支持器の固定装置を示す。図９（Ａ）は固定装置をベランダのフェンス製手摺り壁に固定した使用状態の左側面図、図９（Ｂ）は図９（Ａ）のＢ−Ｂ線断面図、図９（Ｃ）は図９（Ｂ）のＣ−Ｃ線断面図、図９（Ｄ）は図９（Ｂ）のＤ矢視図である。
【００７１】
この実施形態４は、上記実施形態１（図１−図５）の構成において、この実施形態２中の干し枠支持器（２）の固定装置（５）を、図３に示すベランダ（３）のコンクリート製の手摺り壁（４）用から、図９に示すベランダ（３）のフェンス製の手摺り壁（４）用の構造に変更したものである。
【００７２】
この図９に示すフェンス製手摺り壁（４）用の干し枠支持器（２）の固定装置は、前後一対の横固定棒（５５）・左右一対のボルト（５６）・前後一対の挟持具（５７）・および縦固定パイプ（５８）を具える。
【００７３】
フェンス製手摺り壁（４）の２本の縦桟（５９）の前後から両横固定棒（５５）を当てがい、両固定棒（５５）に両ボルト（５６）を直交状に貫通させる。両ボルト（５６）に嵌合したナット（６０）と蝶ナット（６１）の締め付け力で、両横固定棒（５５）を両縦桟（５９）に挟持固定する。両ボルト（５６）の前端部間にナット（６２）と挟持具（５７）を介して縦固定パイプ（５８）を固定支持する。
【００７４】
この縦固定パイプ（５８）は、上記実施形態１の図１−図３に示す前側の固定棒（２８）と同じ働きをするものであって、支持装置（６）を介して布団干し枠（１）の後側枠部分（７）を固定支持するものである。
【図面の簡単な説明】
【図１】図１−図５は本発明のベランダ内設置用布団干し器の実施形態１を示す。図１（Ａ）−（Ｄ）は布団干し器の全体を示す。図１（Ａ）は斜視図、図１（Ｂ）は正面図、図１（Ｃ）は左側面図、図１（Ｄ）は平面図である。
【図２】図２（Ａ）−（Ｇ）は図１（Ａ）で指示する布団干し器の各部分を示す。図２（Ａ）は図１（Ａ）のＡ部の要部縦断左側面図、図２（Ｂ）は図１（Ａ）のＢ−Ｂ線断面図。図２（Ｃ）は図１（Ａ）のＣ部の正面図、図２（Ｄ）は図２（Ｃ）の平面図。図２（Ｅ）は図１（Ａ）のＥ部の平面図、図２（Ｆ）は図２（Ｅ）の中央縦断右側面図。図２（Ｇ）は図１（Ａ）のＧ部の要部縦断正面図である。
【図３】図３（Ａ）−（Ｃ）は干し枠支持器の固定装置を示し、図３（Ａ）は縦断左側面図、図３（Ｂ）は平面図、図３（Ｃ）は要部縦断正面図である。
【図４】図４（Ａ）−（Ｃ）は布団干し器全体の斜視図を示す。図４（Ａ）は物干し竿受け腕を左横向きにし、布団受け補助棒を収縮させた状態の斜視図。図４（Ｂ）は布団干し枠を左横向きにした状態の斜視図。図４（Ｃ）は折り畳んだ状態の斜視図である。
【図５】図５（Ａ）−（Ｃ）は布団干し器をベランダに設置した状態を示す。図５（Ａ）は使用状態の斜視図、図５（Ｂ）は使用状態の左側面図。図５（Ｃ）は布団干し枠と物干し竿受け腕とを左横向きにした不使用状態の斜視図である。
【図６】図６（Ａ）−（Ｄ）は本発明の実施形態２のベランダ内設置用布団干し器の全体を示す。図６（Ａ）は斜視図、図６（Ｂ）は正面図、図６（Ｃ）は左側面図、図６（Ｄ）は平面図である。
【図７】図７−図８は本発明の実施形態３のベランダ内設置用布団干し器の全体を示す。図７（Ａ）は斜視図、図７（Ｂ）は正面図、図７（Ｃ）は左側面図、図７（Ｄ）は平面図である。
【図８】図８（Ａ）は布団受け補助棒と物干し竿受け輪とを取り付け換えた状態の斜視図。図８（Ｂ）は布団干し器をベランダに設置した使用状態の斜視図である。
【図９】図９（Ａ）−（Ｄ）は本発明の実施形態４の干し枠支持器の固定装置を示す。図９（Ａ）は固定装置をベランダのフェンス製手摺り壁に固定した使用状態の左側面図、図９（Ｂ）は図９（Ａ）のＢ−Ｂ線断面図、図９（Ｃ）は図９（Ｂ）のＣ−Ｃ線断面図、図９（Ｄ）は図９（Ｂ）のＤ矢視図である。
【図１０】図１０（Ａ）−（Ｄ）はベランダ内設置用布団干し器の従来技術１を示す。図１０（Ａ）は布団干し器をベランダに設置した使用状態を示す正面図。図１０（Ｂ）−（Ｄ）は布団干し枠を示し、図１０（Ｂ）は正面図、図１０（Ｃ）は平面図、図１０（Ｄ）は右側面図である。
【符号の説明】
１…布団干し枠．  ２…干し枠支持器．  ３…建物のベランダ．  ４…手摺り壁．  ５…固定装置．  ６…支持装置．  ７…後側枠部分．  ８…布団受け枠．９…布団受け補助棒．  １０…前側接地部．  １１…後側接地部．  １２…床壁．  １３…脚枠部分．  １４…後側支柱部分．  １５…前側支柱部分．  １６・１７…連結用端部．  １８…竿受け支持装置．  １９…物干し竿受け腕．  ２０…腕後部．  Ａ…布団。
【図１】
0003557406.tif 000002
【図２】
0003557406.tif 000003
【図３】
0003557406.tif 000004
【図４】
0003557406.tif 000005
【図５】
0003557406.tif 000006
【図６】
0003557406.tif 000007
【図７】
0003557406.tif 000008
【図８】
0003557406.tif 000009
【図９】
0003557406.tif 000010
【図１０】
0003557406.tif 000011